(57)【要約】【課題】ハウジングに対する端子の挿入力を低減でき、組付性を向上することができるコネクタを提供する。【解決手段】ハウジング３と、このハウジング３の一側から挿入される複数の端子５と、ハウジング３の他側から挿入され端子５と接触する複数の接触片７を有し複数の端子５間を接続する短絡端子９と、ハウジング３の他側に組付けられ端子５の抜け止めを行うフロントホルダ１１とを備えたコネクタ１において、フロントホルダ１１に、短絡端子９の接触片７を端子５から離間させる方向に変位させる押上部１３を設け、押上部１３が、ハウジング３に端子５が挿入される前に、フロントホルダ１１をハウジング３に組付けることによって接触片７を所定量変位させ、端子５を、押上部１３によって接触片７が所定量変位された状態で、ハウジング３に挿入して接触片７に接触させた。【選択図】図１
2018041552.tif 000002
【特許請求の範囲】
【請求項１】
ハウジングと、このハウジングの一側から挿入される複数の端子と、前記ハウジングの他側から挿入され前記端子と接触する複数の接触片を有し複数の前記端子間を接続する短絡端子と、前記ハウジングの他側に組付けられ前記端子の抜け止めを行うフロントホルダとを備えたコネクタであって、
前記フロントホルダには、前記短絡端子の前記接触片を前記端子から離間させる方向に変位させる押上部が設けられ、
前記押上部は、前記ハウジングに前記端子が挿入される前に、前記フロントホルダを前記ハウジングに組付けることによって前記接触片を所定量変位させ、
前記端子は、前記押上部によって前記接触片が所定量変位された状態で、前記ハウジングに挿入され前記接触片に接触されることを特徴とするコネクタ。
【発明の詳細な説明】
【技術分野】
【０００１】
本発明は、コネクタに関する。詳細には、ハウジングに収容された複数の端子間を接続する短絡端子を有するコネクタに関する。
【背景技術】
【０００２】
従来、コネクタとしては、ハウジングと、このハウジングの一側から挿入される複数の端子と、ハウジングの他側から挿入され端子と接触する複数の接触片を有し複数の端子間を接続する短絡端子と、ハウジングの他側に組付けられ端子の抜け止めを行うフロントホルダとを備えたものが知られている（例えば、特許文献１参照）。
【０００３】
このコネクタでは、ハウジングの他側から短絡端子を挿入し、ハウジングの他側にフロントホルダを組付けた後、ハウジングの一側から複数の端子を挿入することにより、短絡端子の接触片に端子を摺動させて接触片を変位させ、接触片の反発力によって接触片を端子に接触させている。
【先行技術文献】
【特許文献】
【０００４】
【特許文献１】特開２０１５−９９６８３号公報
【発明の概要】
【発明が解決しようとする課題】
【０００５】
しかしながら、上記特許文献１のようなコネクタでは、ハウジングへの端子の挿入によって、短絡端子の接触片を変位させているので、接触片の変位による反発力の全てが端子にかかり、ハウジングに対する端子の挿入力が増大し、組付性が低下していた。
【０００６】
そこで、この発明は、ハウジングに対する端子の挿入力を低減でき、組付性を向上することができるコネクタの提供を目的としている。
【課題を解決するための手段】
【０００７】
請求項１記載の発明は、ハウジングと、このハウジングの一側から挿入される複数の端子と、前記ハウジングの他側から挿入され前記端子と接触する複数の接触片を有し複数の前記端子間を接続する短絡端子と、前記ハウジングの他側に組付けられ前記端子の抜け止めを行うフロントホルダとを備えたコネクタであって、前記フロントホルダには、前記短絡端子の前記接触片を前記端子から離間させる方向に変位させる押上部が設けられ、前記押上部は、前記ハウジングに前記端子が挿入される前に、前記フロントホルダを前記ハウジングに組付けることによって前記接触片を所定量変位させ、前記端子は、前記押上部によって前記接触片が所定量変位された状態で、前記ハウジングに挿入され前記接触片に接触されることを特徴とする。
【０００８】
このコネクタでは、押上部が、ハウジングに端子が挿入される前に、フロントホルダをハウジングに組付けることによって接触片を所定量変位させるので、所定量変位された接触片の反発力を押上部が受けることになる。
【０００９】
また、端子は、押上部によって接触片が所定量変位された状態で、ハウジングに挿入され接触片に接触されるので、押上部が受けた残りの接触片の反発力を受けながら端子がハウジングに挿入されることになり、ハウジングに対する端子の挿入力を低減できる。
【００１０】
従って、このようなコネクタでは、ハウジングに対する端子の挿入力を低減でき、組付性を向上することができる。
【発明の効果】
【００１１】
本発明によれば、ハウジングに対する端子の挿入力を低減でき、組付性を向上することができるコネクタを提供することができるという効果を奏する。
【図面の簡単な説明】
【００１２】
【図１】本発明の実施の形態に係るコネクタの斜視図である。
【図２】本発明の実施の形態に係るコネクタのハウジングにフロントホルダを組付けるときの断面図である。
【図３】本発明の実施の形態に係るコネクタのハウジングにフロントホルダを組付けたときの断面図である。
【図４】本発明の実施の形態に係るコネクタの短絡端子の斜視図である。
【図５】本発明の実施の形態に係るコネクタと嵌合可能な相手ハウジングの斜視図である。
【図６】本発明の実施の形態に係るコネクタと相手ハウジングとを嵌合するときの断面図である。
【図７】本発明の実施の形態に係るコネクタと相手ハウジングとの嵌合途中の断面図である。
【図８】本発明の実施の形態に係るコネクタと相手ハウジングとが嵌合したときの断面図である。
【発明を実施するための形態】
【００１３】
図１〜図８を用いて本発明の実施の形態に係るコネクタについて説明する。
【００１４】
本実施の形態に係るコネクタ１は、ハウジング３と、このハウジング３の一側から挿入される複数の端子５と、ハウジング３の他側から挿入され端子５と接触する複数の接触片７を有し複数の端子５間を接続する短絡端子９と、ハウジング３の他側に組付けられ端子５の抜け止めを行うフロントホルダ１１とを備えている。
【００１５】
また、フロントホルダ１１には、短絡端子９の接触片７を端子５から離間させる方向に変位させる押上部１３が設けられている。
【００１６】
さらに、押上部１３は、ハウジング３に端子５が挿入される前に、フロントホルダ１１をハウジング３に組付けることによって接触片７を所定量変位させる。
【００１７】
そして、端子５は、押上部１３によって接触片７が所定量変位された状態で、ハウジング３に挿入され接触片７に接触される。
【００１８】
図１〜図８に示すように、ハウジング３は、合成樹脂などの絶縁性材料からなり、一側に端子５を挿入可能な開口を有する複数の端子収容室１５と、他側に短絡端子９を挿入可能な開口を有する複数の短絡端子収容室１７とが設けられている。
【００１９】
このハウジング３には、一側の開口から複数の端子５が端子収容室１５内に収容され、他側の開口から複数の短絡端子９が短絡端子収容室１７内に収容される。
【００２０】
複数の端子５は、それぞれ箱状の接続部を有する雌型端子からなり、エアバックの作動を制御するエアバック回路に接続された複数の電線１９の端末部にそれぞれ電気的に接続されている。
【００２１】
この複数の端子５は、ハウジング３の一側の開口から端子収容室１５内に挿入され、端子収容室１５内に設けられた係止ランスや端子収容室１５内に挿入されるスペーサなどと係合することにより、端子収容室１５からの抜け止めがなされる。
【００２２】
このような複数の端子５は、コネクタ１が単体で存在しているとき、静電気などによって複数の端子５間に電位差が生じてエアバックが誤爆することを防止するために、短絡端子収容室１７に収容された複数の短絡端子９によって電気的に接続されている。
【００２３】
複数の短絡端子９は、それぞれプレス加工や折り曲げ加工を施された１枚の導電性材料からなり、ハウジング３の他側の開口から短絡端子収容室１７に収容され、端部に弾性変形可能な２つの接触片７，７を有している。
【００２４】
この接触片７は、自由端側に、短絡端子９が短絡端子収容室１７内に収容された状態で、端子５に向けて突出された接点部２１が設けられている。
【００２５】
この接点部２１は、隣り合う２つの端子５，５の外周面に接触片７の所定の付勢力によって接触され、隣り合う２つの端子５，５が短絡端子９を介して電気的に接続された状態となる。
【００２６】
このように短絡端子９を介して２つの端子５，５の間を電気的に接続することにより、２つの端子５，５の間に電位差が生じることがなく、エアバックの誤爆を防止することができる。
【００２７】
このような接点部２１が設けられた接触片７は、接点部２１より自由端側に、短絡端子９が短絡端子収容室１７内に収容された状態で、接点部２１と同方向に接点部２１より小さく突出された摺動部２３が設けられている。
【００２８】
この摺動部２３は、ハウジング３に組付けられるフロントホルダ１１に設けられた押上部１３と摺動することにより、接触片７を端子５から離間する方向に所定量変位させる。
【００２９】
フロントホルダ１１は、合成樹脂などの絶縁性材料からなり、ハウジング３の他側の開口を閉塞するようにハウジング３に組付けられ、端子収容室１５に挿入される端子５の端子収容室１５からの抜け止めを行う。
【００３０】
このフロントホルダ１１は、端子５が端子収容室１５に収容される前で、短絡端子９が短絡端子収容室１７に収容された状態で、ハウジング３の他側に組付けられる。
【００３１】
このように短絡端子９が位置するハウジング３の他側にフロントホルダ１１を組付けることにより、フロントホルダ１１によって短絡端子９を保護でき、外力などによる短絡端子９の接触片７の変形を防止でき、端子５と短絡端子９との接続信頼性を保持することができる。
【００３２】
加えて、フロントホルダ１１に端子５の抜け止め機能だけでなく、短絡端子９の保護機能をもたせることにより、部品点数が増加することがない。
【００３３】
このようなフロントホルダ１１には、短絡端子９の接触片７を所定量変位させる押上部１３が設けられている。
【００３４】
押上部１３は、フロントホルダ１１の内壁面からハウジング３側に向けてフロントホルダ１１と連続する一部材で先端側に傾斜面を有するように突設され、短絡端子９の接触片７の摺動部２３と当接可能な位置に配置されている。
【００３５】
この押上部１３は、短絡端子９が短絡端子収容室１７に収容された状態で、フロントホルダ１１がハウジング３の他側に組付けられることにより、短絡端子９の接触片７の摺動部２３と摺動して接触片７を端子５から離間する方向に所定量変位させる。
【００３６】
このときの押上部１３による接触片７の所定量の変位とは、端子収容室１５に端子５を挿入したときに、接触片７の接点部２１が端子５の外面と当接可能である接触片７の変位量を示す。
【００３７】
この押上部１３によって接触片７が所定量変位された状態で、ハウジング３の一側の開口から端子収容室１５に端子５を挿入することにより、接触片７の接点部２１が端子５の外面と摺動して接触片７が端子５から離間する方向に変位しつつ、接点部２１が接触片７の変位による反発力によって端子５の外面に接触される。
【００３８】
このように接触片７が所定量変位された状態で、端子収容室１５に端子５を挿入することにより、端子５が接触片７を変位させる力を低減でき、端子収容室１５への端子５の挿入力を低減することができる。
【００３９】
このように複数の端子収容室１５に複数の端子５が挿入され、複数の端子５間が短絡端子９を介して接続された状態は、ハウジング３に相手ハウジング２５を嵌合することによって解除される。
【００４０】
相手ハウジング２５は、合成樹脂などの絶縁性材料からなり、ハウジング３のフロントホルダ１１側と嵌合可能なフード部２７が設けられ、このフード部２７の底部側に相手端子２９を収容する複数の端子収容室３１が設けられている。
【００４１】
この相手ハウジング２５には、一側の開口から複数の相手端子２９が端子収容室３１内に収容される。
【００４２】
なお、相手ハウジング２５には、ハウジング３に撓み可能に設けられたロックアーム３３の係合部３５に係合可能な係合突起３７が設けられ、係合部３５と係合突起３７との係合により相手ハウジング２５とハウジング３との嵌合が保持される。
【００４３】
加えて、相手ハウジング２５とハウジング３との嵌合は、ハウジング３に撓み可能に設けられた解除アーム３９を押圧操作することにより、係合部３５と係合突起３７との係合が解除され、嵌合状態を解除することができる。
【００４４】
複数の相手端子２９は、端子５の箱状の接続部に挿入可能なタブ状の接続部を有する雄型端子からなり、電源や機器などに接続された複数の電線４１の端末部にそれぞれ電気的に接続されている。
【００４５】
この複数の相手端子２９は、相手ハウジング２５の一側の開口から端子収容室３１内に挿入され、端子収容室３１内に設けられた係止ランスや端子収容室３１内に挿入されるスペーサなどと係合することにより、端子収容室３１からの抜け止めがなされる。
【００４６】
このような複数の相手端子２９は、相手ハウジング２５のフード部２７内にハウジング３のフロントホルダ１１側が嵌合されることにより、ハウジング３に収容された複数の端子５と電気的に接続される。
【００４７】
このような相手端子２９と端子５とが接続されるとき、複数の端子５は、短絡端子９を介して接続されているので、端子５と短絡端子９との接続を解除する必要がある。
【００４８】
そこで、相手ハウジング２５には、短絡端子９の接触片７を変位させ、端子５と短絡端子９との接続を解除する解除部４３が設けられている。
【００４９】
解除部４３は、フード部２７の底部からフード部２７内に向けて相手ハウジング２５と連続する一部材で先端側に傾斜面を有するように突設され、短絡端子９の接触片７の摺動部２３と当接可能な位置に配置されている。
【００５０】
この解除部４３は、相手ハウジング２５とハウジング３とが嵌合するときに、短絡端子９の接触片７の摺動部２３と摺動し、接触片７を端子５から離間する方向に変位させ、接触片７の接点部２１と端子５の外面との接触を解除する。
【００５１】
なお、解除部４３は、相手ハウジング２５とハウジング３とが嵌合した状態で、接触片７の摺動部２３と当接しており、接触片７の端子５側への変位が防止され、接触片７の接点部２１と端子５の外面との接触を防止する。
【００５２】
このように相手ハウジング２５に解除部４３を設けることにより、相手ハウジング２５とハウジング３とが嵌合した状態、すなわち相手端子２９と端子５とが接続された状態では、複数の端子５間が短絡端子９を介して接続されることがない。
【００５３】
ここで、ハウジング３の外周には、相手ハウジング２５とハウジング３との嵌合方向に移動可能な検知部材４５が組付けられている。
【００５４】
この検知部材４５は、ハウジング３の外周に嵌合方向前側に向けて移動可能な仮係止位置で組付けられ、相手ハウジング２５とハウジング３とが正規に嵌合したときには嵌合方向前側の本係止位置に移動可能となり、相手ハウジング２５とハウジング３とが正規に嵌合していないときには本係止位置に移動することができない。
【００５５】
このような検知部材４５の仮係止位置からの本係止位置への移行の可否により、ハウジング３と相手ハウジング２５との嵌合状態を検知することができる。
【００５６】
このようなコネクタ１では、押上部１３が、ハウジング３に端子５が挿入される前に、フロントホルダ１１をハウジング３に組付けることによって接触片７を所定量変位させるので、所定量変位された接触片７の反発力を押上部１３が受けることになる。
【００５７】
また、端子５は、押上部１３によって接触片７が所定量変位された状態で、ハウジング３に挿入され接触片７に接触されるので、押上部１３が受けた残りの接触片７の反発力を受けながら端子５がハウジング３に挿入されることになり、ハウジング３に対する端子５の挿入力を低減できる。
【００５８】
従って、このようなコネクタ１では、ハウジング３に対する端子５の挿入力を低減でき、組付性を向上することができる。
【００５９】
なお、本発明の実施の形態に係るコネクタでは、短絡端子に隣り合う端子に接触する２つの接触片を設けているが、これに限らず、短絡端子に複数の端子に接触する３つ以上の接触片を設けてもよい。
【符号の説明】
【００６０】
１…コネクタ
３…ハウジング
５…端子
７…接触片
９…短絡端子
１１…フロントホルダ
１３…押上部
【図１】
2018041552.tif 000003
【図２】
2018041552.tif 000004
【図３】
2018041552.tif 000005
【図４】
2018041552.tif 000006
【図５】
2018041552.tif 000007
【図６】
2018041552.tif 000008
【図７】
2018041552.tif 000009
【図８】
2018041552.tif 000010